(57)【要約】【課題】昇降路の状況の如何にかかわらず、ガイドレールに捩じれを生じさせずに継ぎ目板の交換作業を行えるようにする。【解決手段】本発明は、乗りかご２の昇降を案内するガイドレール６を形成する上側ガイドレール６ａと下側ガイドレール６ｂの継ぎ目８に設けられて、上側ガイドレール６ａと下側ガイドレール６ｂを連結している既設継ぎ目板９を板厚の大きな新設継ぎ目板９０に交換する際に用いられるガイドレール継ぎ目板交換治具３０であって、継ぎ目８の乗りかご２側に配置されて、乗りかご２に取り付けられたガイドシュー２ｂを案内する上側ガイドレール６ａのレール部６ａ１と、ガイドシュー２ｂを案内する下側ガイドレール６ｂのレール部６ｂ１とを同時に挟圧保持する挟圧保持部３２と、挟圧保持部３２を支持する支柱部３１から成る支持部とを備えている。【選択図】図９
2018188240.tif 000002
【特許請求の範囲】
【請求項１】
乗りかごの昇降を案内するガイドレールを形成する上側ガイドレールと下側ガイドレールの継ぎ目に設けられて、前記上側ガイドレールと前記下側ガイドレールを連結している継ぎ目板の交換に際して用いられるガイドレール継ぎ目板交換治具であって、
前記継ぎ目の乗りかご側に配置されて、前記乗りかごに取り付けられたガイドシューを案内する前記上側ガイドレールのレール部と、前記ガイドシューを案内する前記下側ガイドレールのレール部とを同時に挟圧保持する挟圧保持部と、
前記挟圧保持部を支持する支持部とを備えることを特徴とするガイドレール継ぎ目板交換治具。
【請求項２】
請求項１に記載のガイドレール継ぎ目板交換治具であって、
前記挟圧保持部は、
前記上側ガイドレールのレール部と前記下側ガイドレールのレール部とを挟んで互いに対向する一対の挟圧板と、
前記挟圧板に前記上側ガイドレールのレール部と前記下側ガイドレールのレール部とを挟圧する挟圧力を付与する挟圧力付与部とを備えることを特徴とするガイドレール継ぎ目板交換治具。
【請求項３】
請求項１に記載のガイドレール継ぎ目板交換治具であって、
前記支持部に支持されており、前記上側ガイドレールの乗りかご側に位置するレール部の端部と、前記下側ガイドレールの乗りかご側に位置するレール部の端部とを同時に押圧する押圧部を備えることを特徴とするガイドレール継ぎ目板交換治具。
【請求項４】
請求項３に記載のガイドレール継ぎ目板交換治具であって、
前記押圧部は、
前記上側ガイドレールの乗りかご側に位置するレール部の端部と、前記下側ガイドレールの乗りかご側に位置するレール部の端部とに同時に当接する当接体と、
前記当接体に前記上側ガイドレールの乗りかご側に位置するレール部の端部と、前記下側ガイドレールの乗りかご側に位置するレール部の端部とを押圧する押圧力を付与する押圧力付与部とを備えることを特徴とするガイドレール継ぎ目板交換治具。
【請求項５】
請求項１に記載のガイドレール継ぎ目板交換治具であって、
前記支持部は、上下方向に延設形成されて前記ガイドシューの上部に取り付けられた支柱部から成ることを特徴とするガイドレール継ぎ目板交換治具。
【請求項６】
乗りかごの昇降を案内するガイドレールを形成する上側ガイドレールと下側ガイドレールの継ぎ目に設けられて、前記上側ガイドレールと前記下側ガイドレールを連結している継ぎ目板の交換に際して用いられるガイドレール継ぎ目板交換治具を備えるエレベーター装置であって、
前記ガイドレール継ぎ目板交換治具は、
前記継ぎ目の乗りかご側に配置されて、前記乗りかごに取り付けられたガイドシューを案内する前記上側ガイドレールのレール部と、前記ガイドシューを案内する前記下側ガイドレールのレール部とを同時に挟圧保持する挟圧保持部と、
前記挟圧保持部を支持する支持部とを有していることを特徴とするエレベーター装置。
【発明の詳細な説明】
【技術分野】
【０００１】
本発明は、ガイドレール継ぎ目板交換治具及びエレベーター装置に関する。
【背景技術】
【０００２】
エレベーター装置にあっては、乗りかごを案内するガイドレールを形成する上側ガイドレールと下側ガイドレールの継ぎ目に配置されて、上側ガイドレールと下側ガイドレールとを連結する継ぎ目板が備えられている。昨今、既設のガイドレールの耐震強度を向上させるために、取り付けられている既設の継ぎ目板を、厚さの大きな継ぎ目板に交換することが要望されている。このような要望に鑑みて従来、特許文献１に、ガイドレール継ぎ目板交換治具が開示されている。
【０００３】
この従来技術は、上側ガイドレールのベース部に互いに対向するように一対伸縮可能に設けられ、昇降路の壁部に当接するジャッキボルトを有する第１間隔保持部材を備えている。また、継ぎ目板によって連結された下側ガイドレールのベース部に互いに対向するように一対伸縮可能に設けられ、昇降路の壁部に当接するジャッキボルトを有する第２間隔保持部材を備えている。これらの第１間隔保持部材及び第２間隔保持部材を介して、上側ガイドレール及び下側ガイドレールの捩じれを生じさせることなく、既設の継ぎ目板を板厚の大きな新設の継ぎ目板に交換することができる。
【先行技術文献】
【特許文献】
【０００４】
【特許文献１】特開２０１６−１０２００１号公報
【発明の概要】
【発明が解決しようとする課題】
【０００５】
ところで前述した特許文献１に開示された従来技術には以下の課題がある。
【０００６】
すなわち、ガイドレールと昇降路の壁部との間隔寸法が小さい場合には、第１間隔保持部材及び第２間隔保持部材を設置できず、継ぎ目板交換作業を行うことができない。
【０００７】
また、昇降路の壁部の強度が小さい場合、継ぎ目板を外した際に、ガイドレールの自重によってガイドレールに作用する捩じれ力が第１間隔保持部材のジャッキボルト、または第２間隔保持部材のジャッキボルトに伝えられる。これによってジャッキボルトが昇降路の壁部にめり込む虞がある。このようなときには、新設の継ぎ目板を取り付ける前にガイドレールの捩じれを除去する煩雑な作業が必要になる。
【０００８】
また、ガイドレールの背面側に昇降路の壁部が存在しない場合には、従来技術に係る継ぎ目板交換治具を活用できず、継ぎ目板交換作業を行うことができない。
【０００９】
上記課題を解決するために、本発明の目的は、昇降路の状況の如何にかかわらず、ガイドレールに捩じれを生じさせずに継ぎ目板の交換作業を行うことができるガイドレール継ぎ目板交換治具及びエレベーター装置を提供することにある。
【課題を解決するための手段】
【００１０】
上記課題を解決するために、本発明に係るガイドレール継ぎ目板交換治具は、乗りかごの昇降を案内するガイドレールを形成する上側ガイドレールと下側ガイドレールの継ぎ目に設けられて、前記上側ガイドレールと前記下側ガイドレールを連結している継ぎ目板の交換に際して用いられるガイドレール継ぎ目板交換治具であって、前記継ぎ目の乗りかご側に配置されて、前記乗りかごに取り付けられたガイドシューを案内する前記上側ガイドレールのレール部と、前記ガイドシューを案内する前記下側ガイドレールのレール部とを同時に挟圧保持する挟圧保持部と、前記挟圧保持部を支持する支持部とを備えることを特徴としている。
【００１１】
また、本発明に係るエレベーター装置は、乗りかごの昇降を案内するガイドレールを形成する上側ガイドレールと下側ガイドレールの継ぎ目に設けられて、前記上側ガイドレールと前記下側ガイドレールを連結している継ぎ目板の交換に際して用いられるガイドレール継ぎ目板交換治具を備えるエレベーター装置であって、前記ガイドレール継ぎ目板交換治具は、前記継ぎ目の乗りかご側に配置されて、前記乗りかごに取り付けられたガイドシューを案内する前記上側ガイドレールのレール部と、前記ガイドシューを案内する前記下側ガイドレールのレール部とを同時に挟圧保持する挟圧保持部と、前記挟圧保持部を支持する支持部とを有していることを特徴としている。
【発明の効果】
【００１２】
本発明に係るガイドレール継ぎ目板交換治具及びエレベーター装置によれば、ガイドレールと昇降路の壁部との間隔寸法に制約を受ける場合でも、また、昇降路の壁部の強度に制約を受ける場合でも、また、ガイドレールの背面側に昇降路の壁部が存在しない場合でも、既設の継ぎ目板を板厚の大きな新設の継ぎ目板に交換することができ、ガイドレールの耐震強度を向上させることができる。前述した以外の課題、構成及び効果は、以下の実施形態の説明により明らかにされる。
【図面の簡単な説明】
【００１３】
【図１】本発明に係るガイドレール継ぎ目板交換治具の一実施形態が適用されるエレベーター装置の一例を示す側面図である。
【図２】図１のＡ−Ａ矢視図である。
【図３】図２のＢ−Ｂ矢視図である。
【図４】図３に示したガイドレールの側面図である。
【図５】図１に示したエレベーター装置のガイドシー付近において通常備えられている構成を示す側面図である。
【図６】図５に示したガイドシューの平面図である。
【図７】図１に示したエレベーター装置に本実施形態に係るガイドレール継ぎ目板交換治具を取り付けた状態を示す側面図である。
【図８】本実施形態に係るガイドレール継ぎ目板交換治具を示す側面図である。
【図９】本実施形態の平面図である。
【図１０】本実施形態に備えられた支柱部を示す側面図である。
【図１１】図１０に示した支柱部の平面図である。
【図１２】図１０に示した支柱部に挟圧保持部を取り付けた状態を示す側面図である。
【図１３】図１２に示した支柱部及び挟圧保持部の平面図である。
【図１４】図１２に示した支柱部に押圧部を取付けて成る本実施形態を、ガイドシューに取り付けた状態を示す側面図である。
【図１５】図１４に示した本実施形態の平面図である。
【発明を実施するための形態】
【００１４】
以下、本発明に係るガイドレール継ぎ目板交換治具及びエレベーター装置の実施の形態を図面に基づいて説明する。
【００１５】
図１に示すように、本発明に係るガイドレール継目板交換治具の一実施形態が適用されるエレベーター装置は、昇降路１と、この昇降路１内に配置された乗りかご２及びつり合いおもり３とを備えている。また、乗りかご２とつり合いおもり３とを連結する主ロープ４と、昇降路１の天井部に設けられた機械室内に設置されて、主ロープ４を移動させるシーブを含む巻上機５とを備えている。
【００１６】
図２に示すように、乗りかご２はガイドレール６によって上下方向に案内され、つり合いおもり３はガイドレール７によって上下方向に案内される。ガイドレール６及びガイドレール７のそれぞれは、上下方向に接続される複数の単位ガイドレールによって構成されている。
【００１７】
図３及び図４に示すように、乗りかご２を案内するガイドレール６を構成する複数の単位ガイドレールのうちの上側に位置する上側ガイドレール６ａと、この上側ガイドレール６ａに連結される下側ガイドレール６ｂとは、継ぎ目８に配置された既設継ぎ目板９で連結されている。
【００１８】
上側ガイドレール６ａは、乗りかご２に設けられたガイドシューを案内するレール部６ａ１と、このレール部６ａ１に連設されて所定部位に固定されたベース部６ａ２とを有している。同様に、下側ガイドレール６ｂは、前述のガイドシューを案内するレール部６ｂ１と、このレール部６ｂ１に連設されて所定部位に固定されたベース部６ｂ２とを有している。
【００１９】
既設継ぎ目板９の上側部分は、ボルト１０とナット１１により上側ガイドレール６ａのベース部６ａ２に固定されている。また、既設継ぎ目板９の下側部分は、ボルト１２とナット１３により下側ガイドレール６ｂのベース部６ｂ２に固定されている。
【００２０】
ところで、前述した図１に示したエレベーター装置にあっては通常、図５に示した構成を備えている。前述した乗りかご２の上部には上枠２ａが設けられており、この上枠２ａにはボルト２１ｂによって前述したガイドシュー２ｂが固定されている。ガイドシュー２ｂの上部には、図６に示したガイドシュー２ｂに形成された固定穴２２ｂに挿入されたボルト２３ｂによって、ブラケット２１ｃが固定されている。このブラケット２１ｃにガイドレール６の表面に潤滑油を供給するオイラー２ｃが取り付けられている。
【００２１】
また、上側ガイドレール６ａは、昇降路１の壁部に取り付けられたレールブラケット６０ａに固定されており、下側ガイドレール６ｂは、昇降路１の壁部に取り付けられたレールブラケット６０ｂに固定されている。
【００２２】
図７に示すように、本実施形態に係る継ぎ目板交換治具３０は、既設継ぎ目板９を後述の新設継ぎ目板９０に交換する際に活用されるものであり、例えば図６に示したオイラー２ｃ及びブラケット２１ｃが取り外されて、ボルト２３ｂによってガイドシュー２ｂの上部に取り付けられる。
【００２３】
図７〜図９に示すように、本実施形態に係る継ぎ目板交換治具３０は、継ぎ目８の乗りかご２側に配置されて、乗りかご２に取り付けられたガイドシュー２ｂを案内する上側ガイドレール６ａのレール部６ａ１と、ガイドシュー２ｂを案内する下側ガイドレール６ｂのレール部６ｂ１とを同時に挟圧する挟圧保持部３２を備えている。また、挟圧保持部３２を支持する支持部を備えている。支持部は、上下方向に延設形成されてガイドシュー２ｂの上部に取り付けられた支柱部３１から成る。図１１に示すように、支柱部３１の取り付け部３１ａにはオイラー２ｃを保持するブラケット２１ｃを取付けていたボルト２３ｂの挿入が可能な長穴３１１ａが形成されている。
【００２４】
挟圧保持部３２は、図１２及び図１３に示すように、上側ガイドレール６ａのレール部６ａ１と下側ガイドレール６ｂのレール部６ｂ１とを挟んで互いに対向する一対の挟圧板３２ｃを備えている。挟圧板３２ｃには、上側ガイドレール６ａのレール部６ａ１の側面、及び下側ガイドレール６ｂのレール部６ｂ１の側面に当接可能な当接部３２１ｃが取り付けられている。
【００２５】
また、挟圧保持部３２は、挟圧板３２ｃに上側ガイドレール６ａのレール部６ａ１と下側ガイドレール６ｂのレール部６ｂ１とを挟圧する挟圧力を付与する挟圧力付与部、例えば支柱部３１に形成された図１０に示す取り付け穴３１ｃに挿入されたボルト３２ａと、このボルト３２ａに螺合するナット３２ｂとを備えている。
【００２６】
また、本実施形態は、図８、図９、図１４及び図１５に示すように、支柱部３１に支持されており、上側ガイドレール６ａの乗りかご２側に位置するレール部６ａ１の端部と、下側ガイドレール６ｂの乗りかご２側に位置するレール部６ｂ１の端部とを同時に押圧する押圧部３３を備えている。
【００２７】
押圧部３３は、上側ガイドレール６ａの乗りかご２側に位置するレール部６ａ１の端部と、下側ガイドレール６ｂの乗りかご２側に位置するレール部６ｂ１の端部とに同時に当接する当接体３３ｃと、当接体３３ｃに上側ガイドレール６ａの乗りかご２側に位置するレール部６ａ１の端部と、下側ガイドレール６ｂの乗りかご２側に位置するレール部６ｂ１の端部とを押圧する押圧力を付与する押圧力付与部を備えている。
【００２８】
押圧力付与部は、図１０に示した支柱部３１に形成された取り付け穴に３１ｃ挿入された押圧ボルト３３ａと、例えば支柱部３１に溶接部を介して固定されて、押圧ボルト３３ａに螺合するナット３３ｂとから成っている。前述した当接体３３ｃは、押圧ボルト３３ａの先端に取り付けられている。
【００２９】
次に、本実施形態に係る継ぎ目板交換治具３０の組み立て手順について説明する。
【００３０】
例えば、図１０及び図１１に示す支柱部３１に対して当接部３２１ｃが取り付けられた一対の挟圧板３２ｃを図１２及び図１３に示すように配置する。ここで、挟圧板３２ｃに形成されたボルト穴及び支柱部３１の取り付け穴３１ｂにボルト３２ａを挿入し、ボルト３２ａの頭部が位置する側の挟圧板３２ｃに対して反対側に位置する挟圧板３２ｃの外側に位置するように、ナット３２ｂをボルト３２ａに螺合させる。
【００３１】
この状態から、図８及び図９に示すように、ナット３３ｂに螺合する押圧ボルト３３ａを回転させて取り付け穴３１ｃに挿入する。支柱部３１から突出した押圧ボルト３３ａの先端に当接体３３ｃを取り付ける。これにより、同図８及び図９に示すように、本実施形態に係る継ぎ目板交換治具３０が組み上がる。
【００３２】
なお、支柱部３１に押圧ボルト３３ａを取り付けた後に、ボルト３２ａによって一対の挟圧板３２ｃを取り付けるようにしてもよい。
【００３３】
本実施形態に係る継ぎ目板交換治具３０の組み立ては、エレベーター装置とは異なる場所で行ってもよく、また、エレベーター装置の設置現場において、例えば乗りかご２の上部において行ってもよい。
【００３４】
次に、前述のように組み立てた本実施形態に係る継ぎ目板交換治具３０を用いて既設継ぎ目板９を板厚の大きな新設継ぎ目板９０に交換する際の手順について説明する。なお、交換作業は、乗りかご２の上部において行われる。また、ガイドレール６中に複数の継ぎ目８が存在し、それぞれの継ぎ目８に既設継ぎ目板９が取り付けられている。以下にあっては、１つの既設継ぎ目板９の交換について説明するが、実際には乗りかご２を昇降させて同様の複数の既設継ぎ目板９の交換が行われる。
【００３５】
はじめに、図５に示したボルト２３ｂを緩めて、ブラケット２１ｃ及びオイラー２ｃを取り外す。
【００３６】
次に、既設継ぎ目板９が取り付けられている状態において、図１４及び図１５に示すように、ボルト２３ｂを継ぎ目板交換治具３０に備えられた支柱部３１の取り付け部３１ａに形成された長穴３１１ａ、及びガイドシュー２ｂに形成された図６に示した固定穴２２ｂに挿入螺合させて、支柱部３１の取り付け部３１ａをガイドシュー２ｂの上部に固定する。これにより、継ぎ目板交換治具３０がガイドシュー２ｂの上部に設置される。
【００３７】
この状態において、ボルト３２ａ、ナット３２ｂを締め付けて一対の挟圧板３２ｃを挟圧して、上側ガイドレール６ａのレール部６ａ１の側面と、下側ガイドレール６ｂのレール部６ｂ１の側面とを、一対の挟圧板３２ｃに取り付けられた当接部３２１ｃによって挟圧する。
【００３８】
また、押圧ボルト３３ａを締め付けて、押圧ボルト３３ａの先端に取り付けた当接体３３ｃを上側ガイドレール６ａのレール部６ａ１の端部、及び下側ガイドレール６ｂのレール部６ｂ１の端部に押し付ける。これらにより、上側ガイドレール６ａ及び下側ガイドレール６ｂは動かないように保持される。
【００３９】
ここで、図５に示したボルト１０及びナット１１、ボルト１２及びナット１３を緩める。これにより、既設継ぎ目板９を上側ガイドレール６ａ及び下側ガイドレール６ｂから取り外すことができる。
【００４０】
次に、図７に示したように、新設継ぎ目板９０を昇降路１の壁部に対向するガイドレール６の継ぎ目８の位置に配置して、ボルト１０及びナット１１、ボルト１２及びナット１３を用いて、上側ガイドレール６ａ及び下側ガイドレール６ｂに固定する。
【００４１】
既設継ぎ目板９を新設継ぎ目板９０に交換後、例えば継ぎ目板交換治具３０をガイドシュー２ｂから取り外し、再び図５に示すように、ガイドシュー２ｂ上にブラケット２１ｃを介してオイラー２ｃを取り付ける。
【００４２】
なお、継ぎ目板交換治具３０をガイドシュー２ｂに取り付けた状態のままとしてもよい。この場合、上側ガイドレール６ａのレール部６ａ１の側面、及び下側ガイドレール６ｂのレール部６ｂ１の側面に、挟圧板３２ｃの当接部３２１ｃが当接しないようにボルト３２ａ及びナット３２ｂを緩めて、固定保持した状態とする。また、上側ガイドレール６ａのレール部６ａ１の端部、及び下側ガイドレール６ｂの端部に、押圧ボルト２２ａの先端の当接体３３ｃが当接しないように押圧ボルト３３ａを後退させて固定保持した状態とする。
【００４３】
このように構成した本実施形態に係る継ぎ目板交換治具３０を用いれば、昇降路１の状況の如何にかかわらず、上側ガイドレール６ａ及び下側ガイドレール６ｂに捩れを生じさせずに既設継ぎ目板９を新設継ぎ目板９０に交換することができる。
【００４４】
すなわち、本実施形態によれば、ガイドレール６と昇降路１の壁部との間隔寸法に制約を受ける場合でも、また、昇降路１の壁部の強度に制約を受ける場合でも、また、ガイドレール６の背面側に昇降路１の壁部が存在しない場合でも、乗りかご２上から既設継ぎ目板９を板厚の大きな新設継ぎ目板９０に交換することができる。これによって、ガイドレール６の耐震強度を向上させることができる。
【００４５】
なお、前述した実施形態にあっては、挟圧板３２ｃに挟圧力を付与する挟圧力付与部を、ボルト３２ａとナット３２ｂとによって構成してあるが、本発明は挟圧力付与部をこのように構成することには限られない。例えば挟圧力付与部を、挟圧板３２ｃに油圧による挟圧力を付与する油圧装置によって構成してもよい。この場合、手動操作によって油圧を発生させる油圧装置であってもよく、また、自動操作によって油圧を発生させる油圧装置であってもよい。手動操作によって油圧を発生させる油圧装置の場合には、乗りかご２の上部に油圧装置を設置して、既設継ぎ目板９を新設継ぎ目板９０に交換するようにしてもよい。
【００４６】
また、前述した実施形態にあっては、当接体３３ｃに上側ガイドレール６ａの乗りかご２側に位置するレール部６ａ１の端部と、下側ガイドレール６ｂの乗りかご２側に位置するレール部６ｂ１の端部とを押圧する押圧力を付与する押圧力付与部を、押圧ボルト３３ａとナット３３ｂとによって構成にしてあるが、この押圧力付与部も、油圧による押圧力を付与する油圧装置によって構成してもよい。この場合、手動操作によって油圧を発生させる油圧装置であってもよく、また、自動操作によって油圧を発生させる油圧装置であってもよい。手動操作によって油圧を発生させる油圧装置の場合には、前述と同様に乗りかご２の上部に油圧装置を設置するようにしてもよい。
【００４７】
また、前述した実施形態にあっては、継ぎ目板交換治具３０をガイドシュー２ｂの上部に設置したが、図５に示した上枠２ａに取り付けられるブラケットを備え、そのブラケットに継ぎ目板交換治具３０を保持させる構成にしてもよい。
【００４８】
また、図８及び図９に示した継ぎ目板交換治具３０を、乗りかご２側の部材に固定保持させることなく、交換作業者の所持が可能なものとし、交換作業時には乗りかご２の上部から手を伸ばして、上側ガイドレール６ａと下側ガイドレール６ｂの継ぎ目８の乗りかご２側の位置に取り付けて、既設継ぎ目板９を新設継ぎ目板９０に交換するようにしてもよい。
【００４９】
また、前述した実施形態は、昇降路１の天井部に機械室を有するエレベーター装置に適用されているが、昇降路１の天井部に機械室を備えていない機械室レスエレベーター装置に備えられたガイドレールに取り付けられた継ぎ目板の交換に際しても適用することができる。
【００５０】
なお、各部の構成は図示の実施形態に限定されるものではなく、本発明の主旨を逸脱しない範囲で種々の変更が可能である。
【符号の説明】
【００５１】
２・・乗りかご、２ａ・・上枠、２ｂ・・ガイドシュー、２３ｂ・・ボルト、３・・つり合いおもり、４・・主ロープ、５・・巻上機、６・・ガイドレール、６ａ・・上側ガイドレール、６ａ１・・レール部、６ａ２・・ベース部、６ｂ・・下側ガイドレール、６ｂ１・・レール部、６ｂ２・・ベース部、７・・ガイドレール、８・・継ぎ目、９・・既設継ぎ目板、１０・・ボルト、１１・・ナット、１２・・ボルト、１３・・ナット、３０・・継ぎ目板交換治具（本実施形態）、３１・・支柱部（支持部）、３１ａ・・取り付け部、３１１ａ・・長穴、３１ｂ・・取り付け穴、３１ｃ・・取り付け穴、３２・・挟圧保持部、３２ａ・・ボルト（挟圧力付与部）、３２ｂ・・ナット（挟圧力付与部）、３２ｃ・・挟圧板、３２１ｂ・・当接部、３３・・押圧部、３３ａ・・押圧ボルト（押圧力付与部）、３３ｂ・・ナット（押圧力付与部）、３３ｃ・・当接体、９０・・新設継ぎ目板
【図１】
2018188240.tif 000003
【図２】
2018188240.tif 000004
【図３】
2018188240.tif 000005
【図４】
2018188240.tif 000006
【図５】
2018188240.tif 000007
【図６】
2018188240.tif 000008
【図７】
2018188240.tif 000009
【図８】
2018188240.tif 000010
【図９】
2018188240.tif 000011
【図１０】
2018188240.tif 000012
【図１１】
2018188240.tif 000013
【図１２】
2018188240.tif 000014
【図１３】
2018188240.tif 000015
【図１４】
2018188240.tif 000016
【図１５】
2018188240.tif 000017